(57)【要約】【課題】組立作業を容易にし、作業時間の短縮によりコストの削減を図れるようにした天井点検口を提供すること。【解決手段】外枠１０を構成する外枠部材１１に、係止突片１６を設け、外枠内に開閉可能な内枠２０に、内枠主部２２の上端に上方溝部２３と、内枠主部の下端に延在するフランジ部２５に下方溝部２４を設ける。係止用錠部材３０は、内枠の開閉端側の内枠部材の内枠主部に摺接される本体部３１と、係止突片に係脱可能な係止凸部３２と、上方溝部と係合可能な上縁部３３と、下方溝部と係合可能な下縁部３４と、外側のフランジ部に設けられた切欠き部２６内に移動可能に貫通される連結部３５と、連結部の下端に設けられる操作用摘まみ部３６とを一体に具備し、下縁部が本体部に対して弾性変形可能に形成される。係止用錠部材の上縁部を上方溝部に係合させ、下縁部を弾性変形させて下方溝部に係合させて、係止用錠部材を内枠に移動可能に装着する。【選択図】図５
2014105525.tif 000002
【特許請求の範囲】
【請求項１】
方形状の外枠と、該外枠内に基端側が枢着される開閉可能な内枠と、該内枠の開閉端側を上記外枠に係脱可能に係止する係止用錠部材と、を具備し、天井に形成された開口に取り付けて用いられる天井点検口であって、
上記内枠は、閉止状態で垂直壁状の内枠主部と、該内枠主部の上端から外側に下向きに形成される上方溝部と、上記内枠主部の下端から内枠の外方に延在するフランジ部と、上記内枠主部より外側の上記フランジ部に上向きに形成される下方溝部と、を具備し、
上記外枠は、該外枠を構成する外枠部材の略中央部に、水平状の係止突片を具備し、
上記係止用錠部材は、上記内枠の開閉端側の内枠部材の略中央部の上記内枠主部に摺接される本体部と、該本体部から外方に向かって突出し、上記係止突片に係脱可能に係止する係止凸部と、上記本体部の上端に設けられ、上記上方溝部と摺接及び係合可能な上縁部と、上記本体部の下端に設けられ、上記下方溝部と摺接及び係合可能な下縁部と、上記本体部の下端に延設され、上記外側のフランジ部に設けられた切欠き部内に水平方向に移動可能に貫通される連結部と、該連結部の下端に設けられる操作用摘まみ部とを一体に具備し、かつ、上記上縁部と下縁部のいずれか一方が上記本体部に対して弾性変形可能に形成され、
上記係止用錠部材の上縁部又は下縁部のいずれか一方を上記内枠の上記上方溝部又は下方溝部に係合させ、他方を弾性変形させて上記下方溝部又は上方溝部に係合させて、係止用錠部材を上記内枠に移動可能に装着してなる、
ことを特徴とする天井点検口。
【請求項２】
請求項１記載の天井点検口において、
上記上縁部又は下縁部のいずれか一方は、上記本体部から外方に向かって屈曲する弾性付与部と、該弾性付与部の先端部に設けられ、上記内枠主部側に向かう面が先端に向かって下り傾斜状に形成される係合爪部と、を具備する、ことを特徴とする天井点検口。
【請求項３】
請求項１記載の天井点検口において、
上記上縁部又は下縁部のいずれか一方は、上記本体部の上縁部近傍又は下縁部近傍に設けられる横長状のスリットによって弾性変形可能に形成される、ことを特徴とする天井点検口。
【請求項４】
請求項１ないし３のいずれかに記載の天井点検口において、
上記操作用摘まみ部は、上記係止用錠部材の連結部が上記内枠に設けられた上記切欠き部内を移動した際に切欠き部との間に生じる隙間を塞ぐ大きさに形成され、移動方向の両端部が肉厚に形成されると共に、両端部から中央部に向かって漸次肉薄な凹円弧状に形成される、ことを特徴とする天井点検口。
【請求項５】
請求項１ないし３のいずれかに記載の天井点検口において、
上記係止用錠部材は合成樹脂製部材にて形成されていることを特徴とする天井点検口。
【発明の詳細な説明】
【技術分野】
【０００１】
この発明は、天井点検口に関するもので、更に詳細には、天井に形成された開口に取り付けられる方形状の外枠と、該外枠内に開閉可能に設けられる内枠と、内枠の開閉端側を外枠に係止する係止用錠部材とを具備する天井点検口に関するものである。
【背景技術】
【０００２】
一般に、天井裏の配線や配管等のメンテナンスのために、天井点検口が設けられている。この天井点検口は、天井に形成された方形状の開口に取り付けられる外枠と、該外枠内に基端側が回動可能に枢着される開閉可能な蓋体を構成する内枠と、内枠（蓋体）の開閉端側を外枠に係止する係止用錠部材とを具備している。また、この天井点検口には、外枠の一辺を構成する外枠部材と内枠の一辺を構成する内枠部材を共通の部材にするために、外枠部材と内枠部材の下端に内外に延在するフランジ部を設け、外枠部材及び内枠部材の隣接する端部同士をコーナー部材で連結して外枠と内枠を額縁状にした額縁タイプの天井点検口が汎用されている。
【０００３】
上記天井点検口に使用される係止用錠部材として、軸棒の先端に設けた直線溝状の「すりわり」にコインやマイナスドライバを差し込み、回動させて内枠（蓋体）を開閉させるグレモン錠や回転式の係止金具等が知られている。しかし、グレモン錠や回転式の係止金具等は部品点数が多い上、コストが嵩み、しかも道具を用いて開閉するため開閉操作が面倒である等の問題があった。
【０００４】
上記グレモン錠や回転式の係止金具等に比較して部品点数の削減が図れ、開閉操作が容易な係止用錠部材を用いた天井点検口として、スライド式の掛止装置が知られている（例えば、特許文献１参照）。
【０００５】
特許文献１記載のものは、内枠を構成する内枠条片に設けられたアリ溝状の案内溝に摺動自在に配置される摺動板と、該摺動板にビスで固定される下面に掛止突起を有する掛止片と、該掛止片の下面に設けられ、内枠条片の下端水平壁（フランジ部）に設けられた長孔を通って下方へ突出する操作突起とで構成されている。また、外枠を構成する外枠条片には掛止突条が設けられ、該掛止突条には掛止突起に対応する位置に切欠きが形成されており、内枠（蓋体）を閉じる際に、操作突起をもって摺動板を案内溝に沿って左右に移動して掛止片の掛止突起が掛止突条の上面に掛止される構造である。
【先行技術文献】
【特許文献】
【０００６】
【特許文献１】実用新案登録第３１７０７５５号公報（実用新案登録請求の範囲、図１〜図６）
【発明の概要】
【発明が解決しようとする課題】
【０００７】
しかしながら、特許文献１に記載のものにおいては、内枠を組み立てる前に摺動板を取り付け、その後に内枠部材をコーナー部材で連結して内枠を組み立てる必要がある。また、摺動板と掛止片は別部材にて形成され、ビスによって固定する必要がある。したがって、組立作業が面倒で多くの作業時間を要し、コストの削減が図れない等の課題がある。
【０００８】
この発明は、上記事情に鑑みてなされたもので、組立作業を容易にすると共に、作業時間の短縮によりコストの削減を図れるようにした天井点検口を提供することを目的とする。
【課題を解決するための手段】
【０００９】
上記課題を解決するため、この発明に係る天井点検口は、方形状の外枠と、該外枠内に基端側が枢着される開閉可能な内枠と、該内枠の開閉端側を上記外枠に係脱可能に係止する係止用錠部材と、を具備し、天井に形成された開口に取り付けて用いられる天井点検口であって、  上記内枠は、閉止状態で垂直壁状の内枠主部と、該内枠主部の上端から外側に下向きに形成される上方溝部と、上記内枠主部の下端から内枠の外方に延在するフランジ部と、上記内枠主部より外側の上記フランジ部に上向きに形成される下方溝部と、を具備し、  上記外枠は、該外枠を構成する外枠部材の略中央部に、水平状の係止突片を具備し、  上記係止用錠部材は、上記内枠の開閉端側の内枠部材の略中央部の上記内枠主部に摺接される本体部と、該本体部から外方に向かって突出し、上記係止突片に係脱可能に係止する係止凸部と、上記本体部の上端に設けられ、上記上方溝部と摺接及び係合可能な上縁部と、上記本体部の下端に設けられ、上記下方溝部と摺接及び係合可能な下縁部と、上記本体部の下端に延設され、上記外側のフランジ部に設けられた切欠き部内に水平方向に移動可能に貫通される連結部と、該連結部の下端に設けられる操作用摘まみ部とを一体に具備し、かつ、上記上縁部と下縁部のいずれか一方が上記本体部に対して弾性変形可能に形成され、  上記係止用錠部材の上縁部又は下縁部のいずれか一方を上記内枠の上記上方溝部又は下方溝部に係合させ、他方を弾性変形させて上記下方溝部又は上方溝部に係合させて、係止用錠部材を上記内枠に移動可能に装着してなる、ことを特徴とする（請求項１）。
【００１０】
この場合、上記上縁部又は下縁部のいずれか一方は、上記本体部から外方に向かって屈曲する弾性付与部と、該弾性付与部の先端部に設けられ、上記内枠主部側に向かう面が先端に向かって下り傾斜状に形成される係合爪部と、を具備する（請求項２）か、又は、上記本体部の上縁部近傍又は下縁部近傍に設けられる横長状のスリットによって弾性変形可能に形成される（請求項３）のが好ましい。
【００１１】
このように構成することにより、係止用錠部材の上縁部又は下縁部のいずれか一方を内枠の上方溝部又は下方溝部に係合させ、他方を弾性変形させて下方溝部又は上方溝部に係合させることで、内枠の組立に関係なく係止用錠部材を内枠に取り付けることができる。
【００１２】
この場合、上縁部又は下縁部のいずれか一方が、本体部から外方に向かって屈曲する弾性付与部と、該弾性付与部の先端部に設けられ、内枠主部側に向かう面が先端に向かって下り傾斜状に形成される係合爪部と、を具備することにより、係止用錠部材の上縁部又は下縁部のいずれか一方を内枠の上方溝部又は下方溝部に係合させ、他方の屈曲状の弾性付与部を弾性変形させ、係合爪部を下方溝部又は上方溝部に係合させることができる（請求項２）。また、上縁部又は下縁部のいずれか一方が、本体部の上縁部近傍又は下縁部近傍に設けられる横長状のスリットによって弾性変形可能に形成されることにより、係止用錠部材の上縁部又は下縁部のいずれか一方を内枠の上方溝部又は下方溝部に係合させ、他方を上縁部近傍又は下縁部近傍に設けられる横長状のスリットを介して弾性変形させて下方溝部又は上方溝部に係合させることができる（請求項３）。
【００１３】
この発明において、上記操作用摘まみ部は、上記係止用錠部材の連結部が上記内枠に設けられた上記切欠き部内を移動した際に切欠き部との間に生じる隙間を塞ぐ大きさに形成され、移動方向の両端部が肉厚に形成されると共に、両端部から中央部に向かって漸次肉薄な凹円弧状に形成されるのが好ましい（請求項４）。
【００１４】
このように構成することにより、操作用摘まみ部によって切欠き部を外部から目隠しすることができる。また、操作用摘まみ部の移動方向の両端部を肉厚に形成することにより、摘み易くし係止用錠部材の操作を容易にすることができる。また、両端部から中央部に向かって漸次肉薄な凹円弧状に形成することで、天井面に突出して露呈する操作用摘まみ部の存在感を薄くすることができる。
【００１５】
また、この発明において、上記係止用錠部材は合成樹脂製部材にて形成されているのが好ましい（請求項５）。
【００１６】
このように構成することで、係止用錠部材の作製を容易にすることができ、生産性の向上を図ることができる。
【発明の効果】
【００１７】
この発明によれば、上記のように構成されているので、以下のような効果が得られる。
【００１８】
（１）請求項１，２，３に記載の発明によれば、係止用錠部材の上縁部又は下縁部のいずれか一方を内枠の上記上方溝部又は下方溝部に係合させ、他方を弾性変形させて下方溝部又は上方溝部に係合させて、係止用錠部材を内枠に移動可能に装着するので、係止用錠部材の取り付けを容易にすることができると共に、組立作業を容易にし、かつ、組立作業の短縮が図れ、コストの削減が図れる。
【００１９】
また、係止用錠部材を一体に形成することができるので、部品点数の削減が図れ、コストの削減が図れる。
【００２０】
（２）請求項４記載の発明によれば、上記（１）に加えて、内枠の外側フランジに設けられた切欠き部を操作用摘まみ部によって外部から目隠しすることができると共に、天井面に突出して露呈する操作用摘まみ部の存在感を薄くすることができるので、天井面の美観が損なわれるのを抑制することができる。また、操作用摘まみ部の移動方向の両端部を肉厚に形成することにより、摘み易くし係止用錠部材の操作を容易にすることができる。
【００２１】
（３）請求項５記載の発明によれば、上記（１），（２）に加えて、係止用錠部材の作製を容易にすることができ、生産性の向上を図ることができるので、更にコストの削減が図れる。
【図面の簡単な説明】
【００２２】
【図１】この発明に係る天井点検口の閉止状態を示す断面図である。
【図２】この発明に係る天井点検口の閉止状態の要部を示す断面図である。
【図３】図２の要部平面図である。
【図４】図３の右側面図である。
【図５】この発明に係る天井点検口の施錠状態を示す一部断面斜視図である。
【図６】この発明に係る天井点検口の解錠状態を示す一部断面斜視図である。
【図７】この発明における係止用錠部材の第１実施形態を示す斜視図である。
【図８】上記係止用錠部材の正面図（ａ）、（ａ）のＩ−Ｉ線に沿う断面図（ｂ）、上記係止用錠部材の背面図（ｃ）及び（ｃ）のII−II線に沿う断面図（ｄ）である。
【図９】この発明における切欠き部を示す斜視図である。
【図１０】この発明における係止突片を示す斜視図である。
【図１１】上記係止用錠部材の取付手順を示す斜視図である。
【図１２】この発明における第２実施形態の係止用錠部材を示す斜視図である。
【図１３】第２実施形態の係止用錠部材の施錠状態を示す断面図である。
【図１４】この発明における第３実施形態の係止用錠部材を示す斜視図である。
【図１５】第３実施形態の係止用錠部材の施錠状態を示す断面図である。
【発明を実施するための形態】
【００２３】
以下に、この発明に係る天井点検口の実施形態を添付図面に基づいて詳細に説明する。ここでは、この発明に係る天井点検口を額縁タイプの天井点検口に適用した場合について説明する。
【００２４】
＜第１実施形態＞
上記天井点検口１は、図１ないし図６に示すように、天井２に形成された方形状の開口２ａ内に吊り金具５によって取り付けられる方形状の外枠１０と、外枠１０内に基端側が枢着される開閉可能な方形状の内枠２０と、内枠２０の開閉端側を外枠１０に係脱可能に係止する係止用錠部材３０とを具備している。
【００２５】
内枠２０は、内枠２０を構成する内枠部材２１の基端側の両側には回転軸４０が出没可能に突設されており、この回転軸４０が外枠１０を構成する外枠部材１１の基端側に設けられた軸受け４１に摺動及び回動自在に枢支されている（図１参照）。
【００２６】
この場合、内枠２０を構成する内枠部材２１は、閉止状態で垂直壁状の内枠主部２２と、内枠主部２２の上端から外側に下向きに形成される上方溝部２３と、内枠主部２２の下端から内枠２０の外方に延在するフランジ部２５と、内枠主部２２より外側のフランジ部２５ａに上向きに形成される下方溝部２４と、を具備している。
【００２７】
また、内枠２０の開閉端側の内枠部材２１の長手方向の略中央部には外側に向かってコ字状に開口する切欠き部２６が設けられている（図５，図６，図９参照）。この場合、切欠き部２６は、内枠部材２１の長手方向の中心線Ｃに対して５ｍｍと１４ｍｍの計１９ｍｍに形成されている。また、内枠２０の開閉端側の内枠部材２１の内枠主部２２の中央部側には、一対の半球状の位置規制用突起２７が外側に向かって突設されている。
【００２８】
上記のように形成される内枠部材２１はアルミニウム製押出形材にて形成されている。また、各内枠部材２１の端部同士は、上方溝部２３と下方溝部２４に嵌挿される図示しないアングル状のコーナー部材によって連結されて方形状に形成され、その内方に天井下地材４と天井仕上げ材３を積層配置して蓋体を構成している。
【００２９】
外枠１０は、外枠１０を構成する外枠部材１１が、垂直壁状の外枠主部１２と、外枠主部１２の上端部から外側に下向きに形成される上方溝部１３と、外枠主部１２の下端から外枠１０の内外に延在するフランジ部１５と、外枠主部１２より外側のフランジ部１５ａに上向きに形成される下方溝部１４と、を具備している。
【００３０】
また、内枠２０の開閉端側と対向する外枠部材１１の外枠主部１２の略中央部には、内方に向かって水平状の係止突片１６が設けられている（図５，図６，図１０参照）。この場合、係止突片１６は、長手方向の一端が外枠主部１２より内側のフランジ部１５ｂと同じ又は小さい寸法の小突出部１６ａと、内側のフランジ部１５ｂより大きい寸法の大突出部１６ｂとが段部１６ｃを介して形成されている。この場合、係止突片１６は、外枠部材１１の長手方向の中心線Ｃに対して２０ｍｍの幅を有し、このうち小突出部１６ａが５ｍｍ、大突出部１６ｂが１５ｍｍに形成されている。
【００３１】
上記のように形成される外枠部材１１はアルミニウム製押出形材にて形成されている。また、各外枠部材１１の端部同士は、上方溝部１３と下方溝部１４に嵌挿される図示しないアングル状のコーナー部材によって連結されて方形状に形成され、外側のフランジ部１５ａ上に天井下地材４と天井仕上げ材３を積層配置されている（図１，図２参照）。
【００３２】
一方、内枠部材２１に装着される係止用錠部材３０は、図７及び図８に示すように、内枠２０の開閉端側の内枠部材２１の略中央部の内枠主部２２に摺接される本体部３１と、本体部３１から外方に向かって突出し、係止突片１６に係脱可能に係止する係止凸部３２と、本体部３１の上端に設けられ、上方溝部２３と摺接及び係合可能な上縁部３３と、本体部３１の下端に設けられ、下方溝部２４と摺接及び係合可能な下縁部３４と、本体部３１の下端に延設され、外側のフランジ部２５ａに設けられた切欠き部２６内に水平方向に移動可能に貫通される連結部３５と、連結部３５の下端に設けられる操作用摘まみ部３６とを一体に具備し、かつ、下縁部３４が本体部３１に対して弾性変形可能に形成される合成樹脂製部材にて形成されている。
【００３３】
この場合、下縁部３４は、本体部３１の下端両端部に分割して設けられており、本体部３１の下端両端部からそれぞれ外方に向かってコ字状に屈曲する弾性付与部３４ａと、弾性付与部３４ａの先端部に設けられ、内枠主部２２側に向かう面が先端に向かって下り傾斜状に形成される係合爪部３４ｂとで形成されている。
【００３４】
また、連結部３５は、本体部３１の中央下端から外方に向かって水平に突出する水平片３５ａと、水平片３５ａの先端から直交状に垂下する垂下片３５ｂとからなる逆Ｌ字状に突設されており、垂下片３５ｂが切欠き部２６内に移動可能に貫通されている。
【００３５】
また、操作用摘まみ部３６は、連結部３５の垂下片３５ｂの下端に水平状に設けられ、係止用錠部材３０の連結部３５が切欠き部２６内を移動した際に切欠き部２６との間に生じる隙間を塞ぐ大きさに形成されている。また、操作用摘まみ部３６は、移動方向の両端部に肉厚部３６ａが形成されると共に、両端部から中央部に向かって漸次肉薄な凹円弧状部３６ｂが形成されている。
【００３６】
また、係止凸部３２は、本体部３１の中央部から外方に向かって突出する矩形状水平部３２ａの両端部に補強用の三角状リブ３２ｂを有する形状になっている。この場合、係止凸部３２は連結部３５の鉛直線上に位置しており、係止凸部３２の幅と連結部３５の幅は同じ寸法例えば９ｍｍに形成されている。また、係止凸部３２は、係止突片１６の大突出部１６ｂと係脱可能になっており、段部１６ｃの上方位置で係止突片１６との係合が解かれるようになっている。このように形成することにより、係止用錠部材３０の移動範囲を少なくすることができる。すなわち、上記切欠き部２６と係止突片１６の小突出部１６ａ，大突出部１６ｂ及び連結部３５の寸法を上述のように設定することにより、係止用錠部材３０の移動範囲を１０ｍｍにすることができる。
【００３７】
なお、係止用錠部材３０には、本体部３１の鉛直方向の中央部及び上部の両側にスリット３７を介して左右に延在する弾性変形可能な翼部３８が突設されている。両翼部３８は、図８（ｃ），（ｄ）に示すように、裏面（背面）側に矩形状の凹所３８ａが設けられ、翼部３８の先端には裏面（背面）側に向かって突出する傾斜状の位置規制用凸条３８ｂが設けられている。このように翼部３８を形成することにより、係止用錠部材３０が移動して位置規制用凸条３８ｂが外枠１０に設けられた位置規制用突起２７を乗り越えて位置規制用突起２７が凹所３８ａに係合することで、係止用錠部材３０の係止凸部３２と係止突片１６の係止状態すなわち施錠状態と解錠状態が確認できる。また、係止凸部３２と係止突片１６の係止により振動等による開放が防止される。
【００３８】
次に、係止用錠部材３０の取付（装着）手順について、図１１を参照して説明する。まず、係止用錠部材３０を斜めにして内枠部材２１に設けられた切欠き部２６の上方に位置する上方溝部２３に上縁部３３を挿入する（図１１（ａ）参照）。次に、係止用錠部材３０の連結部３５を切欠き部２６に向かって移動させて下縁部３４を内枠部材２１の下方溝部２４に押し当て（図１１（ｂ）参照）、更に、下縁部３４を内枠部材２１の下方溝部２４に向かって押し込むと、下縁部３４は弾性付与部３４ａの弾性変形により係合爪部３４ｂが下方溝部２４内にスナップ係合（嵌合）される（図１１（ｃ）参照）。この状態で、係止用錠部材３０は内枠２０に移動可能に装着される。なお、係止用錠部材３０は、工場において予め内枠２０の開閉端側の内枠部材２１に組み付けられる。
【００３９】
上記のようにして内枠２０の開閉端側に係止用錠部材３０を装着した後、外枠１０内に内枠２０の基端部側に突設された回転軸４０を介して開閉可能に取り付けて天井点検口１を構成する。このように構成される天井点検口１において、内枠２０を閉止すると、図６に示すように、係止用錠部材３０の係止凸部３２は外枠１０に設けられた係止突片１６の小突出部１６ａと大突出部１６ｂの段部１６ｃの上方に位置する。この状態で、操作用摘まみ部３６を操作して係止用錠部材３０を移動して係止凸部３２を係止突片１６の上方に係合させて施錠することができる（図５参照）。この状態において、係止用錠部材３０に設けられた位置規制用凸条３８ｂが外枠１０に設けられた一方の位置規制用突起２７を乗り越えて位置規制用突起２７が凹所３８ａに係合することで、係止用錠部材３０の係止凸部３２と係止突片１６の係止状態すなわち施錠状態が確認できる。
【００４０】
また、解錠する場合は、施錠状態において、操作用摘まみ部３６を操作して上記と逆方向に係止用錠部材３０を移動して係止凸部３２を係止突片１６の上方から係止突片１６の段部１６ｃ側に移動させて解錠することができる（図６参照）。この状態において、係止用錠部材３０に設けられた位置規制用凸条３８ｂが外枠１０に設けられた他方の位置規制用突起２７を乗り越えて位置規制用突起２７が凹所３８ａに係合することで、係止用錠部材３０の係止凸部３２と係止突片１６の係止解除状態すなわち解錠状態が確認できる。
【００４１】
＜第２実施形態＞
図１２は、この発明における係止用錠部材３０Ａの第２実施形態を示す斜視図、図１３は、第２実施形態の係止用錠部材３０Ａの施錠状態を示す断面図である。
【００４２】
第２実施形態の係止用錠部材３０Ａは、第１実施形態の係止用錠部材３０の上縁部３３と下縁部３４の構造を逆にした場合である。すなわち、図１２及び図１３に示すように、係止用錠部材３０Ａの上縁部３３Ａは、本体部３１の上端部から外方に向かってコ字状に屈曲する弾性付与部３３ａと、弾性付与部３３ａの先端部に設けられ、内枠主部２２側に向かう面が先端に向かって下り傾斜状に形成される係合爪部３３ｂとで形成されている。また、下縁部３４Ａは、本体部３１の下端面に本体部３１の肉厚より薄い凸条にて形成されている。
【００４３】
なお、第２実施形態において、その他の部分は第１実施形態と同様であるので、同一部分には同一符号を付して説明は省略する。
【００４４】
上記のように形成される係止用錠部材３０Ａを内枠２０に取り付ける場合は、まず、係止用錠部材３０Ａを斜めにして下縁部３４Ａを内枠部材２１の下方溝部２４に取り付ける。次に、係合爪部３３ｂを押し込んで上縁部３３Ａを上方溝部２３内に挿入してスナップ係合（嵌合）させる。
【００４５】
＜第３実施形態＞
図１４は、この発明における係止用錠部材３０Ｂの第３実施形態を示す斜視図、図１５は、第３実施形態の係止用錠部材３０Ｂの施錠状態を示す断面図である。
【００４６】
第３実施形態の係止用錠部材３０Ｂは、第２実施形態の係止用錠部材３０Ａの上縁部３３の構造を変更した場合である。すなわち、図１４及び図１５に示すように、係止用錠部材３０Ｂの上縁部３３Ｂは、本体部３１の上縁部近傍に設けられる横長状のスリット３９によって弾性変形可能に形成されている。なおこの場合、上縁部３３Ｂの上端面には複数例えば３個の係合爪部３３ｃが係止用錠部材３０Ｂの移動方向と直交する方向に等間隔に並設されている。なお、下縁部３４Ｂは、第２実施形態の下縁部３４Ａと同様に本体部３１の下端面に本体部３１の肉厚より薄い凸条にて形成されている。
【００４７】
なお、第３実施形態において、その他の部分は第１及び第２実施形態と同様であるので、同一部分には同一符号を付して説明は省略する。
【００４８】
上記のように形成される係止用錠部材３０Ｂを内枠２０に取り付ける場合は、まず、係止用錠部材３０Ｂを斜めにして内枠部材２１に設けられた切欠き部２６の上方に位置する上方溝部２３に上縁部３３Ａを押し込むと、横長状スリット３９による弾性変形により係合爪部３３ｃが上方溝部２３内に挿入される。次に、係止用錠部材３０Ｂを弾性変形させた状態で連結部３５を切欠き部２６に向かって移動させて下縁部３４Ｂを内枠部材２１の下方溝部２４の上方に移動し、弾性力（付勢力）を解除して下方溝部２４内に落とし込んでスナップ係合（嵌合）させる。
【００４９】
上記のように構成される実施形態の天井点検口１によれば、係止用錠部材３０，３０Ａ，３０Ｂの上縁部３３，３３Ａ，３３Ｂ又は下縁部３４，３４Ａ，３４Ｂのいずれか一方を内枠２０の上方溝部２３又は下方溝部２４に係合させ、他方を弾性変形させて下方溝部２４又は上方溝部２３に係合させて、係止用錠部材３０，３０Ａ，３０Ｂを内枠２０に移動可能に装着するので、係止用錠部材３０，３０Ａ，３０Ｂの取り付けを容易にすることができると共に、組立作業を容易にし、かつ、組立作業の短縮が図れ、コストの削減が図れる。
【００５０】
また、係止用錠部材３０，３０Ａ，３０Ｂを合成樹脂製部材によって一体に形成することで、部品点数の削減が図れ、コストの削減が図れる。また、係止用錠部材３０，３０Ａ，３０Ｂの作製を容易にすることができ、生産性の向上を図ることができるので、更にコストの削減が図れる。
【００５１】
また、内枠２０の外側フランジ２５ａに設けられた切欠き部２６を操作用摘まみ部３６によって外部から目隠しすることができると共に、天井面に突出して露呈する操作用摘まみ部３６の存在感を薄くすることができるので、天井面の美観が損なわれるのを抑制することができる。また、操作用摘まみ部３６の移動方向の両端部を肉厚に形成することにより、摘み易くし係止用錠部材３０の操作を容易にすることができる。
【００５２】
＜その他の実施形態＞
上記第３実施形態では、係止用錠部材３０Ｂの上縁部３３Ｂに横長状のスリット３９を設けて弾性変形可能に形成したが、下縁部３４Ｂの下縁部近傍に横長状のスリットを設けて下縁部３４Ｂを弾性変形可能に形成し、上縁部３３を第１実施形態と同様に形成してもよい。
【００５３】
また、この発明に係る天井点検口は上記実施形態に限定されるものではなく、内枠２０が内枠部材２１の内枠主部２２の下端に内外に延在するフランジ部２５を有するものであれば、外枠１０はフランジ部のない目地タイプのものであってもよい。
【符号の説明】
【００５４】
１  天井点検口
２  天井
２ａ  開口
１０  外枠
１１  外枠部材
１６  係止突片
１６ａ  小突出部
１６ｂ  大突出部
１６ｃ  段部
２０  内枠
２１  内枠部材
２２  内枠主部
２３  上方溝部
２４  下方溝部
２５  フランジ部
２５ａ  外側フランジ部
２６  切欠き部
３０，３０Ａ，３０Ｂ  係止用錠部材
３１  本体部
３２  係止凸部
３３，３３Ａ，３３Ｂ  上縁部
３３ａ  弾性付与部
３３ｂ  係合爪部
３３ｃ  横長状スリット（弾性付与部）
３４，３４Ａ，３４Ｂ  下縁部
３４ａ  弾性付与部
３４ｂ  係合爪部
３５  連結部
３６  操作用摘まみ部
３６ａ  肉厚部
３６ｂ  凹円弧状部
【図１】
2014105525.tif 000003
【図２】
2014105525.tif 000004
【図３】
2014105525.tif 000005
【図４】
2014105525.tif 000006
【図５】
2014105525.tif 000007
【図６】
2014105525.tif 000008
【図７】
2014105525.tif 000009
【図８】
2014105525.tif 000010
【図９】
2014105525.tif 000011
【図１０】
2014105525.tif 000012
【図１１】
2014105525.tif 000013
【図１２】
2014105525.tif 000014
【図１３】
2014105525.tif 000015
【図１４】
2014105525.tif 000016
【図１５】
2014105525.tif 000017